(57)【要約】【課題】  側部領域に排泄された尿が停滞することなく、液吸収層に吸収されやすい構造のペット用吸収シートを提供する。【解決手段】  ペット用吸収シート２１の中央領域２２では、液吸収層２５が液透過性の表面シート３３で覆われている。側部領域２３では、裏面シート３１に不織布で形成された親水性シート３２が重ねられており、この親水性シート３２が液吸収層２５を覆っている。側部領域２３に与えられた尿は、親水性シート３２で吸収され、さらに親水性シート３２に導かれて液吸収層２５に吸収されるようになる。【選択図】図３
2005198597.tif 000002
【特許請求の範囲】
【請求項１】
裏面シートと、液透過性の表面シートと、前記裏面シートと前記表面シートとの間に配置された液吸収層とを有するペット用吸収シートにおいて、
前記裏面シートは前記液吸収層よりも面積が大きく、前記裏面シートの一部が、前記液吸収層の縁部よりも外側へ延出して側部領域を形成しており、前記側部領域では、前記裏面シートよりも表側に親水性シートが設けられていることを特徴とするペット用吸収シート。
【請求項２】
前記裏面シートおよび前記液吸収層がともに四角形であり、前記液吸収層の全ての辺の外側に前記側部領域が設けられている請求項１記載のペット用吸収シート。
【請求項３】
前記側部領域は、前記裏面シートと前記親水性シートとが重ねられて形成されている請求項１または２記載のペット用吸収シート。
【請求項４】
前記表面シートは前記液吸収層を覆うとともに前記側部領域に延長されており、前記側部領域では、前記裏面シートと前記親水性シートとが重ねられ、さらに前記親水性シートの表側が前記表面シートの一部で覆われている請求項１または２記載のペット用吸収シート。
【請求項５】
前記親水性シートは、前記液吸収層と前記表面シートの間に位置し、その一部が前記側部領域に延びている請求項１ないし４のいずれかに記載のペット用吸収シート。
【請求項６】
前記側部領域では、前記裏面シートの表面に前記表面シートが重ねられ、この表面シートの表面側が前記親水性シートで覆われている請求項１ないし３のいずれかに記載のペット用吸収シート。
【発明の詳細な説明】
【技術分野】
【０００１】
本発明は、犬や猫などのペットが排泄した尿などを吸収するためのペット用吸収シートに関する。
【背景技術】
【０００２】
犬や猫など家庭内で飼育しているペットが配設した尿などを吸収するためにペット用吸収シートが使用されている。このペット用吸収シートの構造としては図１３に示すもの、または図１４に示すものが知られている。
【０００３】
図１３に示すペット用吸収シート１は、液不透過性の裏面シート２の上にパルプなどで形成された液吸収層３が重ねられており、液吸収層３の表側が液透過性の表面シート４で覆われている。また、ペット用吸収シート１の縁部１Ａでは、裏面シート２が液吸収層３の縁部を覆うようにして表面側に巻き込まれている。このような構造のペット用吸収シート１は、例えば以下の特許文献１に記載されている。
【０００４】
図１４に示すペット用吸収シート１１は、液不透過性の裏面シート２の上に液吸収層３が重ねられており、さらのその表面が液透過性の表面シート４で覆われている。このペット用吸収シート１１の側部領域１１Ａでは、裏面シート２と表面シート４とが、液吸収層３から外れる領域まで延長されて、裏面シート２と表面シート４とが接合されている。このような構造のペット用吸収シート１１は、例えば以下の特許文献２に記載されている。
【特許文献１】特開２００１−２１８５３５号公報
【特許文献２】特開平１１−３３２４１３号公報
【発明の開示】
【発明が解決しようとする課題】
【０００５】
図１３に示すペット用吸収シート１は、その縁部１Ａにおいて、液吸収層３の縁部３ａが液不透過性の裏面シート２で覆われ、さらに前記裏面シート２の縁部２ａが液吸収層３の表面側に延びている。ペット用吸収シート１の縁部１Ａおよびこの縁部１Ａから中心部に向けての幅寸法（ｉ）の側部領域では、ペット用吸収シート１の表面に与えられた尿が裏面シート２で遮られて液吸収層３に移行しにくくなっている。そのため、前記側部領域において、その表面に尿が残るようになり、さらには、尿が前記縁部１Ａを越えて、その外側の床面を汚すおそれがある。
【０００６】
図１４に示すペット用吸収シート１１は、液吸収層３の縁部３ａが液透過性の表面シート４で覆われているため、液吸収層３の縁部３ａ付近に与えられた尿を液吸収層３で吸収することが可能である。ただし、側部領域１１Ａは、裏面シート２と表面シート４のみで形成されているため、側部領域１１Ａに与えられた尿は、この側部領域１１Ａに滞留しやすく、さらには尿が側部領域１１Ａの表面を流れて、ペット用吸収シート１１の外部へ洩れ出やすい。
【０００７】
猫や犬などのペットに、ペット用吸収シート上で排泄する習慣をしつけた場合、ペットがペット用吸収シートを目視できる姿勢で排泄するようになり、その結果、ペットの尻がペット用吸収シートの側部領域の近傍に位置しやすい。この姿勢で排泄する習慣のために、尻から排泄された尿がペット用吸収シートの前記側部領域に与えられやすい。前記各従来例のように、ペット用吸収シートの側部領域において尿を吸収できず、または尿を吸収する能力が低い構造であると、中央部において液吸収層３が十分に液の吸収能力を有しているのにも係わらず、側部領域に尿が滞ってこの側部領域が早い時期に汚れるために、必要以上に早い時期にペット用吸収シートを交換しなくてはならなくなる。
【０００８】
本発明は上記従来の課題を解決するものであり、側部領域において液を吸収する能力を高めることができるペット用吸収シートを提供することを目的としている。
【課題を解決するための手段】
【０００９】
本発明は、裏面シートと、液透過性の表面シートと、前記裏面シートと前記表面シートとの間に配置された液吸収層とを有するペット用吸収シートにおいて、
前記裏面シートは前記液吸収層よりも面積が大きく、前記裏面シートの一部が、前記液吸収層の縁部よりも外側へ延出して側部領域を形成しており、前記側部領域では、前記裏面シートよりも表側に親水性シートが設けられていることを特徴とするものである。
【００１０】
本発明のペット用吸収シートでは、側部領域に、裏面シートおよび表面シートとは別の親水性シートが設けられているため、側部領域に与えられた尿が前記親水性シートで吸収され、側部領域での尿の滞留が生じるのを防止しやすくなる。また、側部領域に与えられた尿は、前記親水性シートによって拡散されて、前記液吸収層に導かれるようになる。
【００１１】
本発明は、例えば、前記裏面シートおよび前記液吸収層がともに四角形であり、前記液吸収層の全ての辺の外側に前記側部領域が設けられているものとして構成できる。
【００１２】
前記ペット用吸収シートでは、ペットの尻が四角形状の液吸収層の縁付近に位置して、液吸収層の縁付近に排尿したとしても、排泄された尿をそれぞれの辺の外側に位置する側部領域において吸収できるようになる。
【００１３】
本発明は、前記側部領域に表面シートの一部が存在せず、前記裏面シートと前記親水性シートとが重ねられて形成されているものであってもよい。
【００１４】
また、本発明は、前記表面シートは前記液吸収層を覆うとともに前記側部領域に延長されており、前記側部領域では、前記裏面シートと前記親水性シートとが重ねられ、さらに前記親水性シートの表側が前記表面シートの一部で覆われているものであってもよい。
【００１５】
このペット用吸収シートでは、側部領域に与えられた尿が、前記表面シートを透過してその下に位置する親水性シートで吸収されるようになる。
【００１６】
また本発明は、前記親水性シートは、前記液吸収層と前記表面シートの間に位置し、その一部が前記側部領域に延びているものである。
【００１７】
このペット用吸収シートでは、親水性シートが液吸収層の上から前記側部領域まで延びているため、側部領域に与えられた尿が、親水性シートを伝わって液吸収層に導かれやすくなる。
【００１８】
また、本発明は、前記側部領域では、前記裏面シートの表面に前記表面シートが重ねられ、この表面シートの表面側が前記親水性シートで覆われているものであってもよい。
【発明の効果】
【００１９】
本発明では、側部領域に与えられた尿が、この側部領域に位置する親水性シートに積極的に吸収されるため、側部領域に尿が滞留しにくく、また側部領域に与えられた尿が親水性シートによって拡散されて液吸収層に導かれやすくなる。よって、尿がペット用吸収シートの外側へ洩れにくくなる。
【発明を実施するための最良の形態】
【００２０】
図１は本発明の第１の実施の形態のペット用吸収シート２１を示す斜視図、図２は前記ペット用吸収シート２１を各構成要素ごとに分離して示した分解斜視図、図３は図１のＩＩＩ−ＩＩＩ線の断面図、図４は図１のＩＶ−ＩＶ線の断面図、図５は表面シートと親水性シートおよび液吸収層の一部を示す拡大断面図である。
【００２１】
図１に示すペット用吸収シート２１は、全体が長方形である。ペット用吸収シート２１は、縦寸法がＬ１で幅寸法がＷ１の中央領域２２を有している。前記中央領域２２の左右両外側には、幅寸法がＷ２の長辺側の側部領域２３が、ペット用吸収シート２１のそれぞれの長辺２１ａに沿って設けられ、中央領域２２の前後両外側には、幅寸法がＬ２の短辺側の側部領域２４が、ペット用吸収シート２１のそれぞれの短辺２１ｂに沿って設けられている。
【００２２】
前記中央領域２２は、液吸収層２５（図２参照）が存在している領域であり、長辺側の前記側部領域２３は、液吸収層２５の長辺２５ａとペット用吸収シート２１の長辺２１ａとの間に形成されており、短辺側の前記側部領域２４は、液吸収層２５の短辺２５ｂとペット用吸収シート２１の短辺２１ｂとの間に形成されている。
【００２３】
前記中央領域２２の縦寸法Ｌ１と幅寸法Ｗ１は、ペットの身長に合わせて適宜設定可能であり、例えば縦寸法Ｌ１は、４００〜９００ｍｍ、幅寸法Ｗ１は、２５０〜６００ｍｍの範囲で設定可能であるが、この寸法に限定されるものではない。
【００２４】
前記側部領域２３の幅寸法Ｗ２および側部領域２４の幅寸法Ｌ２は、１０ｍｍ以上であることが好ましく、その上限は７０ｍｍ程度である。側部領域２３の幅寸法Ｗ２と側部領域２４の幅寸法Ｌ２は同じであってもよいし相違してもよい。
【００２５】
図２に示すように、このペット用吸収シート２１は、液不透過性の裏面シート３１、この裏面シート３１の表側に設置された前記液吸収層２５、この液吸収層２５の表側を覆う親水性シート３２、および前記親水性シート３２の表側を覆う液透過性の表面シート３３とを有している。
【００２６】
前記裏面シート３１と親水性シート３２は、ペット用吸収シート２１の全体寸法と同じ大きさであり、共に縦寸法がＬ１＋２・Ｌ２であり、幅寸法がＷ１＋２・Ｗ２である。前記液吸収層２５は、前記中央領域２２と同じ大きさであり、縦寸法がＬ１で幅寸法がＷ１である。前記表面シート３３は、縦寸法がペット用吸収シート２１の全体の大きさと同じＬ１＋２・Ｌ２であるが、幅寸法は前記中央領域２２と同じＷ１である。
【００２７】
図３および図４に示すように、中央領域２２は、裏面シート３１と液吸収層２５と親水性シート３２および表面シート３３が重ねられて構成されている。
【００２８】
図３に示すように、裏面シート３１の一部が前記液吸収層２５の長辺２５ａよりも外側に延出し、液吸収層２５と表面シート３３との間に介在している親水性シート３２の一部が液吸収層２５の長辺２５ａよりも外側に延出しており、長辺側の前記側部領域２３は、前記裏面シート３１の一部と親水性シート３２の一部とが重ねられて形成されている。
【００２９】
図４に示すように、前記裏面シート３１の一部と前記親水性シート３２の一部および表面シート３３の一部が、いずれも液吸収層２５の短辺２５ｂよりも外側に延出しており、短辺側の前記側部領域２４は、裏面シート３１の一部と親水性シート３２の一部および表面シート３３の一部が重ねられて形成されている。
【００３０】
前記中央領域２２では、裏面シート３１と液吸収層２５とがホットメルト型の接着剤で接着されている。液吸収層２５と親水性シート３２も前記接着剤で接着され、親水性シート３２と表面シート３３も前記接着剤で接着されている。ただし、液吸収層２５と親水性シート３２との間を接着する接着剤、および前記親水性シート３２と前記表面シート３３との間を接着する接着剤は、液の透過を妨げない程度の坪量例えば０．５〜１０ｇ／ｍ2の範囲で、スパイラル状または点在状あるいはストライブ状に塗布される。
【００３１】
長辺側の前記側部領域２３では、裏面シート３１と親水性シート３２とがホットメルト型の接着剤で接着されており、同様に短辺側の前記側部領域２４では、裏面シート３１と親水性シート３２とが前記接着剤で接着され、親水性シート３２と表面シート３３とが前記接着剤で接着されている。ただし、親水性シート３２と表面シート３３との間では、接着剤が液の透過を妨げない程度の坪量でスパイラル状または点在状あるいはストライプ状に塗布される。
【００３２】
前記裏面シート３１は、液不透過性であり、ポリエチレン（ＰＥ）などの樹脂フィルムで形成され、または撥水性あるいは疎水性の不織布で形成される。この不織布は、メルトブローン不織布またはスパンボンド不織布、あるいはメルトブローン不織布とスパンボンド不織布とが積層された積層不織布などである。
【００３３】
図３と図４に示すように、前記液吸収層２５は、長方形のシート状の吸収体２６を有している。前記吸収体２６の表面側は、親水性の着色シート２７で覆われている。この着色シート２７は、吸収体２６とほぼ同じ面積を有している。吸収体２６の裏面には親水性のシート２８が敷かれており、このシート２８は、液吸収層２５のそれぞれの長辺２５ａにおいて、吸収体２６のそれぞれの側縁２６ａを覆いさらに吸収体２６の上面に延びている。シート２８の側縁２８ａは、液吸収層２５の表側に位置しており、液吸収層２５の側部表面２５ｃでは、幅寸法Ｗａの範囲で、着色シート２７の上に前記シート２８が重ねられている。
【００３４】
前記着色シート２７は、青色または緑色あるいは赤色に着色された親水性のティシューペーパであり、前記シート２８は白色の親水性のティッシューペーパである。
【００３５】
図５に示すように、前記吸収体２６は、粉砕パルプ層４１とこの粉砕パルプ層４１内に混合された第１の高吸収性ポリマー（第１のＳＡＰ）４２、および粉砕パルプ層４１と着色シート２７との間に位置する第２の高吸収性ポリマー（第２のＳＡＰ）４３とを有している。
【００３６】
この実施の形態では、第１のＳＡＰ４２の液吸収速度が、第２のＳＡＰ４３よりも速いものとなっている。第１のＳＡＰ４１と第２のＳＡＰ４３は、ポリアクリル酸、ポリビニルアルコール、無水マレイン酸などのポリマーである。例えば第２のＳＡＰ４３として表面が架橋された粒状のポリマーを使用し、第１のＳＡＰ４２として表面が架橋しておらずあるいは弱い架橋の粒状のポリマーを使用することにより、第１のＳＡＰ４２の液吸収速度を第２のＳＡＰ４３よりも速くできる。または第１のＳＡＰ４２の粒径を、第２のＳＡＰ４３の粒径よりも小さくすることによっても、第１のＳＡＰ４２の液吸収速度を第２のＳＡＰ４３よりも速くできる。
【００３７】
前記親水性シート３２は、親水性の不織布であり、例えば、パルプやレーヨンなどのセルロース系繊維で形成されたスパンレース不織布、前記セルロース系繊維と親水処理された合成樹脂繊維とで形成されたスパンレース不織布、親水処理された熱融着性の合成樹脂繊維で形成されたエアースルー不織布、親水処理された熱融着性の合成樹脂繊維で形成されたポイントボンド不織布などである。あるいは親水処理されたスパンボンド不織布、スパンボンド不織布にマイクロファイバーをラミネートした複合不織布で、具体的には、メルトブローン不織布／スパンボンド不織布／メルトブローン不織布の３層複合不織布が使用される。
【００３８】
前記親水性シート３２は、前記着色シート２７およびシート２８を形成しているティッシューペーパよりも、厚みおよび目付けの双方が大きく、厚みおよび目付けが共に前記ティッシューペーパの１．２倍以上であり、さらに好ましくは１．５倍以上である。
【００３９】
前記表面シート３３は、ＰＥなどの樹脂シートであり、多数の液透過孔３３ａが形成された開孔シートである。好ましくは、前記樹脂シートは酸化チタンなどの白色化剤を含むものが使用される。表面シート３３は、網体や多孔基材の表面に樹脂シートを設置してこの樹脂シートを軟化させ、前記網体や多孔基材の裏側から樹脂シートを吸引して、多数の液透過孔３３ａが形成されたいわゆるパーホレーションフィルムである。
【００４０】
このパーホレーションフィルムで形成された表面シート３３は、図５に拡大して示すように、それぞれの液透過孔３３ａがフィルムの厚み方向へ所定の深さで延びており、開孔径は液吸収層２５側に向けて徐々に小さくなるテーパ穴である。前記表面シート３３の液透過孔３３ａの開孔面積率は１０〜６０％の範囲である。さらに、前記パーフォレーションフィルムは、界面活性剤などの親水性油剤を表面に塗布したものや、樹脂内に親水性油剤が練り込まれて親水処理化されたものが使用される。
【００４１】
このペット用吸収シート２１を表面側から見た外観は、中央領域２２において、多数の液透過孔３３ａを有する表面シート３３および親水性シート３２を透視して、その下の着色シート２７の色を透視できる。着色シート２７が青色である場合、前記中央領域２２は白みがかった青色を呈する。ただし、液吸収層５の左右両側部に位置する幅寸法Ｗａの側部表面２５ｃでは、着色シート２７の表面側に白色のシート２８が重ねられているため、外側から見た青色が中央部分よりもやや白みがかって見える。
【００４２】
すなわち、図１に示すペット用吸収シート２１は、それぞれの側部領域２３とそれぞれの側部領域２４がほぼ白色である。中央領域２２は、白みがかった青色であり、側部表面２５ｃは、さらに白みがかった青色である。
【００４３】
なお、前記表面シート３３が、親水性の不織布や、不織布に多数の液透過孔を形成したもの、または多数の液透過孔を有する樹脂フィルムと不織布とのラミネート材で形成されていてもよい。この場合の表面シート３３も、前記着色シート２７の色を透視できるものが使用される。
【００４４】
中央領域２２に尿が与えられると、この尿は、表面シート３３の液透過孔３３ａを透過し、その下に位置する親水性シート３２を透過して、さらにその下の液吸収層２５に吸収される。液吸収層２５では、着色シート２７の下に吸収速度の遅い第２のＳＡＰ４３が位置し、粉砕パルプ層４１内に前記第２のＳＡＰ４３よりも吸収速度の速い第１のＳＡＰ４２が位置しているため、全体として保水量が多くなる。また、粉砕パルプ層４１と着色シート２７との間に位置している第２のＳＡＰ４３は液吸収速度が遅いため、表面シート３３と親水性シート３２を透過した尿は、第２のＳＡＰ４３に吸収されるが、この第２のＳＡＰ４３によって液の透過を妨げられることなく、粉砕パルプ層４１内に速やかに浸透していく。
【００４５】
粉砕パルプ層４１内には液吸収速度の速い第１のＳＡＰ４２が混在しているため、粉砕パルプ層４１内で尿が第１のＳＡＰ４２によって速やかに吸収されて粉砕パルプ層４１内での尿の拡散を抑制でき、長期間使用しても、尿の広がりが生じにくくなって汚れが目立たなくなる。よって、長期間の使用が可能である。
【００４６】
また、表面シート３３は、図５に示すようにパーフォレーションフィルムで形成され、個々の液透過孔３３ａは液吸収層２５に向うにしたがって開孔径が徐々に狭くなるように形成されている。よって、液吸収層２５で吸収された液が表面シート３３の表面に滲み出ることを抑制できる。
【００４７】
前記尿が、中央領域２２の縁部領域に与えられ、あるいは側部領域２３または側部領域２４に与えられた場合に、これら側部領域２３，２４には親水性シート３２が存在しているため、尿は親水性シート３２によって吸収される。また、側部領域２３，２４に尿が与えられたときに、この尿は親水性シート３２内を拡散し、液吸収層２５に引き付けられて液吸収層２５に吸収されるようになる。よって、ペット用吸収シート２１の外部に尿が流れ出にくくなる。前記ペット用吸収シート２１では、中央領域２２において、液吸収層２５の表面に位置する親水性シート３２が液吸収層２５の長辺２５ａおよび短辺２５ｂを越えて、前記側部領域２３，２４に延長されている。そのため、側部領域２３，２４に与えられた尿は、親水性シート３２を伝わって液吸収層２５に引き込まれやすくなる。
【００４８】
図１に示すように、長辺側の側部領域２３では、その表面に親水性シート３２が直接に現れているため、側部領域２３に与えられた尿は親水性シート３２によって直ちに吸収されて拡散するようになる。また、短辺側の側部領域２４では、尿が表面シート３３の液透過孔３３ａ内を透過してその下の親水性シート３２に吸収されて拡散される。この側部領域２４では、親水性シート３２の表面が表面シート３３で覆われているため、尿が親水性シート３２に吸収されて拡散されたときに、尿の色が目立たなくなり、きたなく汚れる状態となるのを防止しやすい。
【００４９】
このように、前記ペット用吸収シート２１では、側部領域２３，２４に親水性シート３２が位置しているが、この親水性シート３２は、液吸収層２５に設けられた着色シート２７やシート２８などのティッシューペーパよりも厚みおよび目付けが大きいものであるため、側部領域２３，２４において液が滞留したり流れるのを抑制できる効果が高くなっている。
【００５０】
犬や猫などのペットは、前記ペット用吸収シート２１の上で排尿または排便するようにしつけられるが、ペットは、液吸収層２５が存在する中央領域２２の上に足をおいて排尿または排便するように習慣づけられることが多い。また中央領域２２に着色シート２７が位置し、中央領域２２が側部領域２３，２４と異なる色彩になっていると、ペットはさらに中央領域２２に足を置いて排尿または排便する頻度が高くなる。その結果、中央領域２２の側縁部や側部領域２３，２４に尿が与えられることが多くなるが、前記のように側部領域２３，２４に尿が与えられても、尿は親水性シート３２で吸収され、且つ親水性シート３２を伝わって液吸収層２５に吸収されるため、側部領域２３，２４での汚れが目立たなくなる。したがって、長期間の使用が可能である。
【００５１】
本発明は、前記第１の実施の形態に限定されるものではなく種々の変更が可能である。以下に他の実施の形態を説明するが、以下において前記第１の実施の形態との相違部分を主として説明し、第１の実施の形態と同じ部分には同じ符号を付してその詳しい説明を省略する。
【００５２】
図６ないし図８は本発明の第２の実施の形態のペット用吸収シート１２１を示すものであり、図６は図２と同様に各構成要素を分離して示した分解斜視図、図７は図３に相当する断面図、図８は図４に相当する断面図である。
【００５３】
図６に示すように、第２の実施の形態のペット用吸収シート１２１は、裏面シート３１と液吸収層２５および表面シート３３が、第１の実施の形態のペット用吸収シート２１と同じものであり、且つ同じ寸法に形成されている。
【００５４】
ただし、このペット用吸収シート１２１では、一対の帯状の長辺側親水性シート１３２ａと、同じく一対の帯状の短辺側親水性シート１３２ｂが使用されている。この長辺側親水性シート１３２ａと短辺側親水性シート１３２ｂは、前記第１の実施の形態のペット用吸収シート２１の親水性シート３２と同等の材質で形成されている。
【００５５】
図７に示すように、長辺側の側部領域２３においては、前記長辺側親水性シート１３２ａが、ペット用吸収シート１２１の長辺１２１ａに沿って配置されている。側部領域２３においては、裏面シート３１の表側に長辺側親水性シート１３２ａが重ねられて接着されている。長辺側親水性シート１３２ａは、一方の縁部１３２ａ１が前記長辺１２１ａに一致し、他方の縁部１３２ａ２は液吸収層２５の上に位置し、長辺側親水性シート１３２ａは、その一部が前記液吸収層２５の表側に重ねられている。
【００５６】
図８に示すように、短辺側の側部領域２４においては、前記短辺側親水性シート１３２ｂが、ペット用吸収シート１２１の短辺１２１ｂに沿って配置されている。側部領域２４においては、前記短辺側親水性シート１３２ｂが、裏面シート３１と表面シート３３との間に挟まれて位置している。短辺側親水性シート１３２ｂは、一方の縁部１３２ｂ１が前記短辺１２１ｂに一致し、他方の縁部１３２ｂ２は液吸収層２５の上に位置し、短辺側親水性シート１３２ｂは、その一部が前記液吸収層２５の表側に重ねられている。
【００５７】
このペット用吸収シート１２１は、中央領域２２の中央部分において、表面シート３３の下に図２に示すような親水性シート３２が存在しておらず、表面シート３３の直ぐ下に液吸収層２５が位置している。よって中央領域２２に与えられた尿は、表面シート３３の液透過孔３３ａを透過し、親水性シート３２で拡散されることなく、直ちに液吸収層２５に吸収されるようになる。よって、尿が表面で拡散している外観を呈することがなくなり、汚れが目立たなくなる。
【００５８】
また、長辺側の側部領域２３と短辺側の側部領域２４には、それぞれ長辺側親水性シート１３２ａと短辺側親水性シート１３２ｂが位置しているが、これら親水性シート１３２ａ，１３２ｂは、液吸収層２５の上に延長されて重ねられている。そのため、側部領域２３，２４に与えられた尿が、前記親水性シート１３２ａ，１３２ｂによって、液吸収層２５へ導かれて液吸収層２５内に引き込まれやすくなる。
【００５９】
図９と図１０は、前記第１の実施の形態のペット用吸収シート２１の変形例を示している。ただし、前記第２の実施の形態のペット用吸収シート１２１においても同じ変形が可能である。
【００６０】
図９に示すペット用吸収シート２１Ａでは、第１の実施の形態のペット用吸収シート２１に比べて表面シート３３の寸法が小さくなっており、この表面シート３３は、中央領域２２と同じ面積となっている。表面シート３３は、液吸収層２５の上にのみ位置しており、長辺側の側部領域２３と短辺側の側部領域２４は、共に裏面シート３１と親水性シート３２が重ねられて形成されており、いずれも表面シート３３が延長されていない。
【００６１】
図１０に示すペット用吸収シート２１Ｂでは、表面シート３３が、前記裏面シート３１および親水性シート３２と同じ寸法である。したがって、中央領域２２が表面シート３３で覆われているとともに、長辺側の側部領域２３と短辺側の側部領域２４は、共に裏面シート３１と親水性シート３２および表面シート３３が重ねられて形成されている。
【００６２】
図９に示すように、側部領域２３，２４に表面シート３３を延長させない構造では、側部領域２３，２４の表面に親水性シート３２が現れているため、この側部領域２３，２４に与えられた尿を、親水性シート３２で直ちに吸収することができる。一方、図１０に示すように、側部領域２３，２４に表面シート３３が延長されていると、側部領域２３，２４において親水性シート３２で吸収された尿の色を表面シート３２で隠すことができ、汚れが目立たなくなる。
【００６３】
図１１と図１２は、それぞれ図６ないし図８に示したペット用吸収シート１２１の変形例を示している。図１１と図１２は、それぞれ図７に相当する断面図である。
【００６４】
図１１に示すペット用吸収シート１２１Ａでは、図６に示した長辺側親水性シート１３２ａおよび短辺側親水性シート１３２ｂが、共に側部領域２３と側部領域２４において、裏面シート３１に重ねられて接合されているとともに、長辺側親水性シート１３２ａと短辺側親水性シート１３２ｂの一部が、中央領域２２において前記表面シート３３の上に重ねられて接合されている。
【００６５】
図１２に示すペット用吸収シート１２１Ｂでは、表面シート３３が、側部領域２３と側部領域２４のそれぞれに延長されて、裏面シート３１の表側に重ねられて接合されている。さらに前記長辺側親水性シート１３２ａと短辺側親水性シート１３２ｂが、側部領域２３と側部領域２４において前記表面シート３３の上に重ねられて接合されており、前記長辺側親水性シート１３２ａと短辺側親水性シート１３２ｂは、その一部が中央領域２２に延びている。
【００６６】
前記ペット用吸収シート１２１Ａ，１２１Ｂは、いずれも側部領域２３，２４において最表面に親水性シート１３２ａ，１３２ｂが位置しているため、側部領域２３，２４に与えられた尿は、親水性シート１３２ａ，１３２ｂで吸収される。また親水性シート１３２ａ，１３２ｂによって中央領域２２の上に導かれた尿は、表面シート３３の液透過孔３３ａを透過して、その下の液吸収層２５に吸収されるようになる。
【図面の簡単な説明】
【００６７】
【図１】本発明の第１の実施の形態のペット用吸収シートを示す斜視図、
【図２】第１の実施の形態のペット用吸収シートの構成要素を分離して示す分解斜視図、
【図３】図１のＩＩＩ−ＩＩＩ線の断面図、
【図４】図１のＩＶ−ＩＶ線の断面図、
【図５】表面シートと親水性シートおよび液吸収層の一部を示す拡大断面図、
【図６】本発明の第２の実施の形態のペット用吸収シートの構成要素を分離して示す斜視図、
【図７】第２の実施の形態のペット用吸収シートを示すものであり、図３に相当する断面図、
【図８】第２の実施の形態のペット用吸収シートを示すものであり、図４に相当する断面図、
【図９】第１の実施の形態のペット用吸収シートの変形例を示す斜視図、
【図１０】第１の実施の形態のペット用吸収シートの変形例を示す斜視図、
【図１１】第２の実施の形態のペット用吸収シートの変形例を示すものであり、図３に相当する断面図、
【図１２】第２の実施の形態のペット用吸収シートの変形例を示すものであり、図３に相当する断面図、
【図１３】従来のペット用吸収シートを示す断面図、
【図１４】従来のペット用吸収シートを示す断面図、
【符号の説明】
【００６８】
２１，２１Ａ，１２１，１２１Ａ，１２１Ｂ  ペット用吸収シート
２１ａ  長辺
２１ｂ  短辺
２２  中央領域
２３  長辺側の側部領域
２４  短辺側の側部領域
２５  液吸収層
２５ａ  長辺
２５ｂ  短辺
２５ｃ  側部表面
２６  吸収体
２７  着色シート
２８  シート
３１  裏面シート
３２  親水性シート
３３  表面シート
３３ａ  液透過孔
４１  粉砕パルプ層
４２  第１の高吸収性ポリマー
４３  第２の高吸収性ポリマー
１３２ａ  長辺側親水性シート
１３２ｂ  短辺側親水性シート
【図１】
2005198597.tif 000003
【図２】
2005198597.tif 000004
【図３】
2005198597.tif 000005
【図４】
2005198597.tif 000006
【図５】
2005198597.tif 000007
【図６】
2005198597.tif 000008
【図７】
2005198597.tif 000009
【図８】
2005198597.tif 000010
【図９】
2005198597.tif 000011
【図１０】
2005198597.tif 000012
【図１１】
2005198597.tif 000013
【図１２】
2005198597.tif 000014
【図１３】
2005198597.tif 000015
【図１４】
2005198597.tif 000016